(57)【要約】【課題】接点ばねへの突起部の形成を容易に行うことができると共に、突起部との接合部の抵抗を低減し、信頼性の高い接点ばね及びこれを用いたスイッチ装置を提供する。【解決手段】貫通孔１ｄが形成されたばね部材１と、貫通孔１ｄに挿入され保持された突起部材２と、この突起部材２の上面側に形成され、外部からの押圧力を伝達する押圧部２ａと、この押圧部２ａの他端側をばね部材１の膨出部の下面側に突出させて形成した接点部２ｂとを備え、突起部材２は、ばね部材１の板厚方向の上下両面から挟み込むように突起部材２の外周部を変形させて貫通孔１ｄに抜け止め保持されており、突起部材２の外周部と接合するばね部材１の貫通孔１ｄの周縁部の上下両面には、導電性に富んだ貴金属からなる被覆材３を被覆した。【選択図】        図２
2004311127.tif 000002
【特許請求の範囲】
【請求項１】
反転可能な膨出部を有し、この膨出部の頂部に貫通孔が形成されたばね部材と、前記貫通孔に挿入され、一端が前記ばね部材の板厚方向の上面側に突出して保持された突起部材と、この突起部材の上面側に形成され、外部からの押圧力を伝達する押圧部と、この押圧部の他端側を前記ばね部材の膨出部の下面側に突出させて形成した接点部とを備え、前記突起部材は、前記ばね部材の板厚方向の上下両面から挟み込むように前記突起部材の外周部を変形させて前記貫通孔に抜け止め保持されており、前記突起部材の外周部と接合する前記ばね部材の貫通孔の周縁部の上下両面には、導電性に富んだ貴金属からなる被覆材を被覆したことを特徴とする接点ばね。
【請求項２】
前記ばね部材は、上下両面に貴金属のめっきが施された処理鋼板からなり、これを板厚方向に打ち抜くことにより前記被覆材を有する貫通孔を形成したことを特徴とする請求項１記載の接点ばね。
【請求項３】
前記ばね部材の貫通孔の内周面にも、前記被覆材を施すようにしたことを特徴とする請求項１又は２記載の接点ばね。
【請求項４】
反転可能な膨出部を有し、この膨出部の頂部に貫通孔が形成されたばね部材と、前記貫通孔に挿入され、一端が前記ばね部材の板厚方向の上面側に突出して保持された突起部材と、この突起部材の上面側に形成され、外部からの押圧力を伝達する押圧部と、この押圧部の他端側を前記ばね部材の膨出部の下面側に突出させて形成した接点部とを備え、前記突起部材は、前記ばね部材の板厚方向の上下両面から挟み込むように前記突起部材の外周部を変形させて前記貫通孔に抜け止め保持されており、前記ばね部材の貫通孔の周縁部と接合する前記突起部材の外周部には、導電性に富んだ貴金属からなる被覆材を被覆したことを特徴とする接点ばね。
【請求項５】
前記突起部材は、導電性に優れた貴金属の材料からなり、この外周部で前記被覆材を構成したことを特徴とする請求項４記載の接点ばね。
【請求項６】
請求項１乃至５の何れかに記載の接点ばねと、固定接点と、この固定接点と導通する外部接続端子が配設された基台とを備え、前記接点ばねの接点部を前記固定接点に対向させると共に、外部から前記押圧部を操作可能に前記基台上に配置したことを特徴とするスイッチ装置。
【発明の詳細な説明】
【０００１】
【発明の属する技術分野】
本発明は、接点ばね及びこれを用いたスイッチ装置に係り、携帯電話など小型の電子機器の押釦スイッチに好適な接点ばね及びこれを用いたスイッチ装置の構造に関する。
【０００２】
【従来の技術】
従来の接点ばね及びこれを用いたスイッチ装置の構造としては、固定接点が形成された基台と、この基台上に固定接点と対向配置されたドーム状の反転部を有する接点ばねとから構成されている。
【０００３】
接点ばねは、上面側に押圧操作用のキートップが配設されて使用されるものとなっており、電子機器の化粧パネル側からこのキートップを押圧することにより、接点ばねの上面が押圧されて、下面に一体的に形成された接点部が反転して固定接点と接触することにより、接点の切り換えが行われるものである。
【０００４】
押圧操作用のキートップの下面には、ドーム状の接点ばねの頂部を押圧するための突起が一体形成されており、キートップが押圧されると、その押圧力がこの突起を介して接点ばねの頂部に伝達されるため、接点ばねがクリック感を伴って反転して固定接点に接触するものとなる。
【０００５】
この場合、キートップ下面の突起と、接点ばねのドーム頂部との間に相対位置のバラツキがあると、操作フィーリングに影響してくることから、これを解決するために、従来の構成においては、キートップ下面の突起の代りに、接点ばねの上面に樹脂で突起を形成することにより、キートップの押圧力を接点ばねのドーム頂部に伝達する構造が知られている（例えば、特許文献１）。
【０００６】
しかし、上記の接点ばね及びこれを用いたスイッチ装置の構造は、接点ばねのドーム頂部に印刷などにより樹脂を盛って突起を形成するため、突起の厚みのコントロールが難しく、精度良く形成することが困難であった。
そこで、本出願人は、接点ばねのドーム頂部に、金属材からなる突起部材をかしめて突起部を形成する構成の接点ばね（接点板）の出願を行った（特願２００２−０２９２６８号参照）。
【０００７】
この構造によれば、押圧部を容易に接点ばねの膨出部の頂部に形成でき、キートップとの相対位置ずれがあっても、接点ばねの膨出部の頂部に確実に押圧力を伝達することができ、良好なフィーリングが得られるものとなっている。
【０００８】
【特許文献１】
特開平１１−００７８６２号公報
【０００９】
【発明が解決しようとする課題】
しかしながら、上述した従来の接点ばね及びこれを用いたスイッチ装置の構造においては、接点ばねにばね特性に優れた材料を用い、突起部材には、かしめて固定する際の加工性と、接点面の形成のための加工性を考慮して、加工性の良い材料を用いることが好ましく、各々異なる金属を用いることになるが、そのため、異種金属間での接合部分が酸化することにより高抵抗値となり、スイッチ用の接点ばねとして使用する場合には電気特性に影響がでることで信頼性が悪いという問題があった。
【００１０】
したがって、本発明では上述した問題点を解決し、接点ばねへの突起部の形成を容易に行うことができると共に、突起部との接合部の抵抗値を低減し、信頼性の高い接点ばね及びこれを用いたスイッチ装置を提供することを目的とする。
【００１１】
【課題を解決するための手段】
上記課題を解決するために本発明では第１の手段として、接点ばねは、反転可能な膨出部を有し、この膨出部の頂部に貫通孔が形成されたばね部材と、前記貫通孔に挿入され、一端が前記ばね部材の板厚方向の上面側に突出して保持された突起部材と、この突起部材の上面側に形成され、外部からの押圧力を伝達する押圧部と、この押圧部の他端側を前記ばね部材の膨出部の下面側に突出させて形成した接点部とを備え、前記突起部材は、前記ばね部材の板厚方向の上下両面から挟み込むように前記突起部材の外周部を変形させて前記貫通孔に抜け止め保持されており、前記突起部材の外周部と接合する前記ばね部材の貫通孔の周縁部の上下両面には、導電性に富んだ貴金属からなる被覆材を被覆したことを特徴とする。
【００１２】
また、第２の手段として、前記ばね部材は、上下両面に貴金属のめっきが施された処理鋼板からなり、これを板厚方向に打ち抜くことにより前記被覆材を有する貫通孔を形成したことを特徴とする。
また、第３の手段として、前記ばね部材の貫通孔の内周面にも、前記被覆材を施すようにしたことを特徴とする。
【００１３】
また、第４の手段として、接点ばねは、反転可能な膨出部を有し、この膨出部の頂部に貫通孔が形成されたばね部材と、前記貫通孔に挿入され、一端が前記ばね部材の板厚方向の上面側に突出して保持された突起部材と、この突起部材の上面側に形成され、外部からの押圧力を伝達する押圧部と、この押圧部の他端側を前記ばね部材の膨出部の下面側に突出させて形成した接点部とを備え、前記突起部材は、前記ばね部材の板厚方向の上下両面から挟み込むように前記突起部材の外周部を変形させて前記貫通孔に抜け止め保持されており、前記ばね部材の貫通孔の周縁部と接合する前記突起部材の外周部には、導電性に富んだ貴金属からなる被覆材を被覆したことを特徴とする。
【００１４】
また、第５の手段として、前記突起部材は、導電性に優れた貴金属の材料からなり、この外周部で前記被覆材を構成したことを特徴とする。
【００１５】
また、第６の手段として、スイッチ装置は、第１乃至第５の手段の何れかに記載の接点ばねと、固定接点と、この固定接点と導通する外部接続端子が配設された基台とを備え、前記接点ばねの接点部を前記固定接点に対向させると共に、外部から前記押圧部を操作可能に前記基台上に配置したことを特徴とする。
【００１６】
【発明の実施の形態】
以下、本発明の実施の形態を図１乃至図９に示す。図１は本発明の接点ばねの断面図、図２は接点ばねの接合部分の部分断面図、図３は接点ばねの接合部分の他の実施例の部分断面図、図４乃至図６は接点ばねの製造工程を示し、図４は突起部材のかしめ前の部分詳細図、図５はかしめ時の金型との関係を示す部分詳細図、図６はかしめ後の部分詳細図、図７は接点ばねを実装したスイッチ装置の平面図、図８は同じくスイッチ装置の断面図、図９は接点ばねを実装した他のスイッチ装置の一部を破断した分解斜視図である。
【００１７】
図１及び図２において、接点ばね１は、りん青銅又はステンレスなどの金属薄板を略円盤状に打ち抜いた導電性のばね部材から形成されており、外周縁部１ａから中心部に向かって所定角度で立ちあがるスカート部１ｂと、このスカート部１ｂに連続してドーム状に膨出した頂部１ｃとがプレスなどの方法で形成されている。また、前記頂部１ｃの中央には板厚方向に貫通する貫通孔１ｄが形成されており、この貫通孔１ｄ内には導電材料で略円柱状に形成された突起部材２が、前記貫通孔１ｄの上下方向に貫通した状態で抜け止め固定されている。
【００１８】
前記突起部材２の上面側には、外部からの押圧力を伝達す押圧部２ａが形成されており、また、下面側には、前記ばね部材の膨出部の下面側に突出させて接点部２ｂが形成されている。前記押圧部２ａの中央部には、円状の凹部２ｃが形成されており、この凹部２ｃを設けることにより、前記押圧部２ａの外周部の肉厚が、前記押圧部２ａの中央部の肉厚よりも厚くなるように形成されている。また、前記接点部２ｂの表面には、十字状の溝部２ｄが形成されており、この溝部２ｄによって複数に分割された四角部が突起状となって前記接点部２ｂの接点面を構成している。また、この接点部２ｂには銀めっきなどの表面処理が施されたものとなっている。
【００１９】
また、前記接点ばね１のばね部材の上下両面には、銀などの貴金属からなる被覆材３でめっきなどの表面処理（被覆）が施されており、ばね部材の前記貫通孔１ｄの周縁部の被覆材３と、前記突起部材２の外周部とが密着して接合されて抜け止め保持されている。
【００２０】
このように、前記突起部材２の外周部と接合するばね部材の前記貫通孔１ｄの周縁部の上下両面には、導電性に富んだ貴金属からなる前記被覆材３が被覆してあるので、前記貫通孔１ｄの周縁部が、硬度の低い（軟らかい）クッション性のあるめっき層で塞がれることになり、互いの密着性が向上することにより酸化が抑制されるので、導電性が向上されるものとなる。その結果、互いの接合部の抵抗値が低減されるので接触信頼性の高い接点ばね１が得られる。
【００２１】
この場合、前記接点ばね１のばね部材として、予め両面に貴金属のめっきが施された処理鋼板を使用して、板厚方向に略円盤状に打ち抜くことにより前記接点ばね１を形成しても良く、この場合には、めっき工程が省けるので、前記突起部材２との接合部の抵抗値の低い材料からなるばね部材を簡単に形成できると共に、コストの削減が図れるものとなる。
【００２２】
図３は、前記接点ばね１のばね部材の前記貫通孔１ｄの内周面（打ち抜きによる破断面）にも、前記被覆材３を施すようにした接点ばね１の構成を示している。この場合には、更に、前記突起部材２との接合部の密着性が向上され、導電性が向上されるので、更に、接合部の抵抗値の低減が図れるものとなっている。
【００２３】
前記突状部材２を、前記接点ばね１のばね部材へ固着する場合には、まず、図２に示すように、予め片面に銀めっきなどの表面処理が施された黄銅などの導電性の金属柱からなる突起部材２を、前記貫通孔１ｄの内径よりもわずかに小径となるように形成する。この場合、前記金属柱は接点面となる片面に銀めっきなどを施した金属板材を打ち抜いて形成するようにしても良い。そして、前記金属柱からなる突起部材２を略円盤状の外形に打ち抜かれた前記ばね部材の貫通孔１ｄ内にめっき面が下面側になるように配置する。
【００２４】
次に、図３に示すように、前記金属柱からなる突起部材２を上下方向から上型Ｊと下型Ｋとで挟み込んで加圧変形させることにより、前記突起部材２の外周部を前記ばね部材の貫通孔１ｄの内縁に食い込ませて抜け止めを形成し保持させる。また、同時に、前記突起部材の上面には前記押圧部２ａを、下面には前記接点部２ｂを形成する。
【００２５】
この時、前記上型Ｊの前記突起部材２の押圧部２ａとの当接面の中央には凸部Ｊａが形成されており、前記突起部材２の加圧変形時に、前記凸部Ｊａによって前記押圧部２ａの上面側の肉厚が中央部から外周部方向へ押し広げられるようになっている。そして、この結果、前記押圧部２ａの中央には円状の前記凹部２ｃが形成されるものとなる。
【００２６】
また、前記下型Ｋの前記突起部材２の接点部２ｂとの当接面には十字状の突出部Ｋａが形成されており、前記突起部材２の加圧変形時に、前記突出部Ｋａによって前記突起部材２の下面側の肉厚が十字状の四角方向へ押し広げられるようになっている。そして、この結果、前記接点部２ｂには、十字状の前記溝部２ｄが形成され、この溝部２ｄによって複数に分割された四角部が突起状となって前記接点部２ｂの接点面を構成するものとなる。
【００２７】
これにより、図４に示すように、前記突起部材２は、前記ばね部材の板厚方向の上下両面から挟み込むように前記突起部材２の外周部を変形させて前記ばね部材の貫通孔１ｄに抜け止め保持されるものとなる。
そして、このようにして前記突起部材２が一体化された前記ばね部材を、図示しないプレス金型によって絞り加工することにより、前記ばね部材に前記スカート部１ｂと頂部１ｃとを有するドーム状の膨出部が形成されて前記接点ばね１が形成されるものとなっている。
【００２８】
このように、予め前記ばね部材に前記突起部材２を一体化しておき、しかる後に前記ばね部材をプレス成形してドーム状に形成することにより、反転可能な膨出部と外部からの押圧部２ａを精度良く形成することができる。また、前記突状部材２を導電材料で形成することにより、前記押圧部２ａに対して前記接点部２ｂをも精度良く形成することができる。
【００２９】
上記のようにして形成された前記接点ばね１は、前記外周縁部１ａの下面を被支持面として後述する周辺固定接点上に配置されて、前記押圧部２ａの外部からの押圧によって前記頂部１ｃが反転して、前記接点部２ｂが中央固定接点と接触可能となっている。そして、固定接点に接触する前記外周縁部１ａの下面及び前記接点部２ｂとが銀などの貴金属のめっき処理面となるため、接点間の導通を確実に行うことができる。
【００３０】
尚、上記実施例においては、前記接点ばね１のばね部材の両面に、銀などの貴金属からなる前記被覆材３でめっきなどの表面処理（被覆）が施された構成とし、前記ばね部材の貫通孔１ｄの周縁部の被覆材３と、導電材料からなる前記突起部材２の外周部とが密着して接合されて保持される構成としたが、これとは逆に、前記突起部材２の外周部に、銀などの貴金属からなる前記被覆材３でめっきなどの表面処理（被覆）を施した構成とし、前記突起部材２の外周部の被覆材３と、導電材料からなる前記ばね部材の貫通孔１ｄの周縁部とが密着して接合される構成としても良い。この場合には、前記ばね部材の下面側で周辺固定接点と接触する部分には銀などのめっき処理を施しておくものとする。
また、この場合に、前記突起部材２を、導電性に優れた貴金属の材料（例えば銀線、洋白条など）で一体的に形成するようにしても良く、この場合には、めっき工程が省ける。
【００３１】
上記構成においても、前記ばね部材の貫通孔１ｄの周縁部と接合する前記突起部材２の外周部には、導電性に富んだ貴金属からなる前記被覆材３が被覆してあるので、前記突起部材２の外周部が、硬度の低い（軟らかい）クッション性のある被覆層で塞がれることになり、互いの密着性が向上することにより酸化が抑制されるので、導電性が向上されるものとなる。その結果、互いの接合部の抵抗値が低減されるので接触信頼性の高い接点ばね１が得られる。
また、前記突起部材２を、導電性に優れた貴金属の材料で一体的に形成した場合には、接合部の抵抗値の低い材料からなる突起部材を簡単に形成できる。
【００３２】
次に、図７及び図８で前記接点ばね１を実装したスイッチ装置の構成について説明する。図７及び図８は、上記した接点ばね１を単キースイッチとして構成した場合の押釦スイッチの構成を示す。
【００３３】
押釦スイッチ１０の基台としてのハウジング１１は合成樹脂などの絶縁材からなり、矩形状の底板部１１ａの外周を環状に取り囲んで起立する側壁１１ｂによって上部が開放された箱状の収納部１２が形成されている。そして、このハウジング１１の底板部１１ａには、導電性の金属材からなる一対の端子材がインサート成形されており、その一端が底板部１１ａ内で屈曲されて前記収納部１２内に突出して中央固定接点１６ａが形成されている。
また、他方の端子材の一端は、底板部１１ａ内で二股に分岐して各々が前記収納部１２内に中央固定接点１６ａを挟んで突出して一対の周辺固定接点１６ｂが設けられている。
【００３４】
中央固定接点１６ａは、ハウジング１１の収納部１２の略中央に位置し、収納部１２への底板部１１ａからの突出量が、中央固定接点１６ａに対して周辺固定接点１６ｂが若干高くなるように形成されている。
そして、中央固定接点１６ａに接続した端子材の他端部は、ハウジング１１外に導出されて前記側壁１１ｂに沿って曲げられ面実装用の半田付け部を有する外部接続端子１５ａが形成されている。同様に、周辺固定接点１６ｂに接続した端子材の他端部には、面実装用の半田付け部を有する外部接続端子１５ｂが形成されている。
【００３５】
そして、前記接点ばね１が前記ハウジング１１の凹状の収納部１２に収容され、その外周縁部１ａが周辺固定接点１６ｂ上に載置されて常時接触すると共に、接点部２ｂが中央固定接点１６ａ上に接離可能に対向配置されて可動接点を形成している。また、前記ハウジング１１内に収納された前記接点ばね１は、その上面が絶縁性の粘着シート１３によって覆われている。そして、前記粘着シート１３の貼付けしろ１３ａが前記ハウジング１１の上面に粘着層によって固着されて外部からの塵埃の侵入を防止している。
【００３６】
次に、上記構成の押釦スイッチ１０の動作について説明する。
押釦スイッチ１０の押圧部２ａの非押圧時には、前記接点ばね１のばね力によって、中央固定接点１６ａと接点部２ｂとは離間しており、スイッチは電気的にオフ状態となっている。
【００３７】
この状態から、前記押圧部２ａが図示しないキートップなどで押圧操作されると、粘着シート１３を撓ませながら接点ばね１が座屈反転してクリック感を創出すると共に、中央固定接点１６ａと接点部２ｂとが接触し、スイッチが電気的にオン状態となり、外部接続端子１５ａ、１５ｂを通じて、電子機器へ信号が送出されるものとなる。
【００３８】
この時、前記接点ばね１の頂部１ｃには、前記押圧部２ａが形成されているため、キートップの取り付け誤差や、押圧時の傾きなどにより、接点ばね１の頂部との相対位置ずれが発生したとしても、キートップからの押圧力を接点ばね１に確実に付与でき、良好な操作フィーリングが得られる。また、前記ばね部材の貫通孔１ｄの周縁部と前記接点部２ｂを有する突起部材２の外周部とが、導電性に富んだ貴金属からなる前記被覆材３を介して接合してあるので、導電性が向上され接合部の抵抗値が低減されるので、信頼性の高いスイッチ装置を提供することができる。
【００３９】
図９に示すのは、前記接点ばね１を固定接点が形成された接点基板上に多数実装してシート状スイッチ装置を構成したものである。
シート状スイッチ装置４０における基台としての接点基板３０は、絶縁性の樹脂などの積層板から形成されており、その表面に銅箔や、カーボンなどにより複数組みの固定接点３１が形成されている。この固定接点３１は、環状に形成された周辺固定接点３１ｂの内側に離間させて中央固定接点３１ａが配設されてなり、各々が接続パターンによって外部端子に接続されている。そして、この周辺固定接点３１ｂに上記接点ばね１の外周縁部１ａが常時導通可能に載置されると共に、接点ばね１の接点部２ｂが中央固定接点３１ａ上に接離可能に対向配置されて可動接点を形成している。
【００４０】
また、接点ばね１は、押圧部２ａを設けた側が、下面に粘着層を形成した絶縁性の可撓性粘着シート３５によって覆われている。そして、粘着シート３５の貼付けしろ３５ａに形成された粘着層によって、接点基板３０の上面に固着されてシート状スイッチ装置４０が形成されると共に、接点部内への外部からの塵埃の侵入を防止している。
【００４１】
上記のように構成されたシート状スイッチ装置４０は、可撓性粘着シート３５の上面にキートップを配置して電子機器に組み込まれるが、この組込み時にキートップと接点ばね１との相対位置にずれが生じたとしても、キートップからの押圧力を押圧部２ａを介して接点ばね１に確実に付与でき、良好な操作フィーリングが得られるものとなっている。また、前記接点ばね１のばね部材と前記接点部２ｂを有する突起部材２とが導電性に富んだ貴金属からなる前記被覆材３を介して接合してあるので、接合部の抵抗値を低減し信頼性の高いスイッチ装置を提供することができる。
【００４２】
【発明の効果】
以上説明したように、本発明の接点ばねは、反転可能な膨出部を有し、この膨出部の頂部に貫通孔が形成されたばね部材と、貫通孔に挿入され、一端がばね部材の板厚方向の上面側に突出して保持された突起部材と、この突起部材の上面側に形成され、外部からの押圧力を伝達する押圧部と、この押圧部の他端側をばね部材の膨出部の下面側に突出させて形成した接点部とを備え、突起部材は、ばね部材の板厚方向の上下両面から挟み込むように突起部材の外周部を変形させて貫通孔に抜け止め保持されており、突起部材の外周部と接合するばね部材の貫通孔の周縁部の上下両面には、導電性に富んだ貴金属からなる被覆材を被覆したことから、接点部が設けられた突起部材の外周部と接合する貫通孔の周縁部が、硬度の低い（軟らかい）クッション性のある被覆層で塞がれるため、互いの密着性が向上して酸化が抑制され、導電性が向上されるので、接合部の抵抗値の低減が図れる。
【００４３】
また、ばね部材は、上下両面に貴金属のめっきが施された処理鋼板からなり、これを板厚方向に打ち抜くことにより被覆材を有する貫通孔を形成したことから、接合部の抵抗値の低い材料からなるばね部材を簡単に形成できると共に、コストの削減が図れる。
また、ばね部材の貫通孔の内周面にも、被覆材を施すようにしたことから、さらに、接合部の密着性が向上され、導電性が向上されるので、接合部の抵抗値の低減が図れる。
【００４４】
また、接点ばねは、反転可能な膨出部を有し、この膨出部の頂部に貫通孔が形成されたばね部材と、前記貫通孔に挿入され、一端が前記ばね部材の板厚方向の上面側に突出して保持された突起部材と、この突起部材の上面側に形成され、外部からの押圧力を伝達する押圧部と、この押圧部の他端側を前記ばね部材の膨出部の下面側に突出させて形成した接点部とを備え、前記突起部材は、前記ばね部材の板厚方向の上下両面から挟み込むように前記突起部材の外周部を変形させて前記貫通孔に抜け止め保持されており、前記ばね部材の貫通孔の周縁部と接合する前記突起部材の外周部には、導電性に富んだ貴金属からなる被覆材を被覆したことから、同様に、ばね部材の貫通孔の周縁部と接合する突起部材の外周部が、硬度の低い（軟らかい）クッション性のある被覆層で塞がれるため、互いの密着性が向上して酸化が抑制され、導電性が向上されるので、接合部の抵抗値の低減が図れる。
【００４５】
また、突起部材は、導電性に優れた貴金属の材料からなり、この外周部で被覆材を構成したことから、接合部の抵抗値の低い材料からなる突起部材を簡単に形成できる。
【００４６】
また、スイッチ装置は、第１乃至第５の手段の何れかに記載の接点ばねと、固定接点と、この固定接点と導通する外部接続端子が配設された基台とを備え、接点ばねの接点部を固定接点に対向させると共に、外部から押圧部を操作可能に基台上に配置したことから、キートップと接点ばねとの間に相対位置ずれが生じた場合であっても、接点ばねの膨出部の頂部へキートップの押圧力を確実に伝達することができ、良好な操作フィーリングが得られると共に、接合部の抵抗値を低減し信頼性の高いスイッチ装置を提供できる。
【図面の簡単な説明】
【図１】本発明の一実施例である接点ばねを示す断面図である。
【図２】本発明の接点ばねの接合部分を示す部分断面図である。
【図３】本発明の接点ばねの接合部分の他の実施例を示す部分断面図である。
【図４】本発明の突起部材のかしめ前の状態を示す部分詳細図である。
【図５】本発明の突起部材のかしめ時の金型との関係を示す部分詳細図である。
【図６】本発明の突起部材のかしめ後の状態を示す部分詳細図である。
【図７】本発明の接点ばねを実装したスイッチ装置を示す平面図である。
【図８】本発明の接点ばねを実装したスイッチ装置を示す断面図である。
【図９】本発明の接点ばねを実装した他のスイッチ装置の一部を破断した状態を示す分解斜視図である。
【符号の説明】
１  接点ばね（ばね部材）
１ａ  外周縁部
１ｂ  スカート部
１ｃ  頂部
１ｄ  貫通孔
２  突起部材
２ａ  押圧部
２ｂ  接点部
２ｃ  凹部
２ｄ  溝部
３  被覆材
１０  押釦スイッチ
１１  ハウジング
１１ａ  底板部
１１ｂ  側壁
１２  収納部
１３  粘着シート
１３ａ  貼付けしろ
１５ａ，１５ｂ  外部接続端子
１６  固定接点
１６ａ  中央固定接点
１６ｂ  周辺固定接点
３０  接点基板
３１  固定接点
３１ａ  中央固定接点
３１ｂ  周辺固定接点
３５  可撓性粘着シート
３５ａ  貼付けしろ
４０  シート状スイッチ装置
Ｊ  上型
Ｊａ  凸部
Ｋ  下型
Ｋａ  突出部
【図１】
2004311127.tif 000003
【図２】
2004311127.tif 000004
【図３】
2004311127.tif 000005
【図４】
2004311127.tif 000006
【図５】
2004311127.tif 000007
【図６】
2004311127.tif 000008
【図７】
2004311127.tif 000009
【図８】
2004311127.tif 000010
【図９】
2004311127.tif 000011